(57)【要約】【課題】  大地震のような大規模災害の後、無電力となった現金自動取引装置から紙幣が盗難されることを防止する。【解決手段】  紙幣を積層して収納する複数の紙幣収納庫が奥行き方向に配置された現金自動取引装置において、複数の紙幣収納庫は現金自動取引装置の後面に設けた扉を開けることによって外部からのアクセス、及び、外部への引き出しが可能となっており、外部から受信した紙幣移動の指示に基づき、扉側に配置された紙幣収納庫に収納された紙幣を扉と反対側に配置された前記紙幣収納庫に移動させる。さらに、異常事態を検知する異常検知手段を有し、異常事態を検知すると扉側の紙幣収納庫内の紙幣を紙幣収納が可能な空きスペースがあって、かつ、金種にかかわらず扉と最も離れたリサイクルカセットへ移動させることによって防犯機能を向上させる。【選択図】  図２
2014211835.tif 000002
【特許請求の範囲】
【請求項１】
紙幣を積層して収納する複数の紙幣収納庫が奥行き方向に配置された現金自動取引装置であって、
前記複数の紙幣収納庫は、前記現金自動取引装置の後面に設けた扉を開けることによって、外部からのアクセス、及び、外部への引き出しが可能となっており、
外部から受信した紙幣移動の指示に基づき、前記扉側に配置された前記紙幣収納庫に収納された紙幣を、前記扉と反対側に配置された前記紙幣収納庫に移動させることを特徴とする現金自動取引装置。
【請求項２】
請求項１に記載の現金自動取引装置であって、
前記紙幣収納庫は、前記現金自動取引装置の下部であって、前記扉に最も近い側に配置された装填回収用の紙幣カセットと、金種別に設けられた複数のリサイクルボックスと、を有し、
前記紙幣移動の指示を受信すると、前記扉側の紙幣収納庫内の紙幣を、紙幣収納が可能な空きスペースがあって、かつ、前記扉と最も離れた同一金種のリサイクルカセットへ移動させることを特徴とする現金自動取引装置。
【請求項３】
請求項１又は２に記載の現金自動取引装置であって、
前記自動取引装置は、異常事態を検知する異常検知手段を有し、
前記異常検知手段によって異常事態を検知すると、前記扉側の紙幣収納庫内の紙幣を、紙幣収納が可能な空きスペースがあって、かつ、金種にかかわらず前記扉と最も離れたリサイクルカセットへ移動させることを特徴とする現金自動取引装置。
【請求項４】
請求項３に記載の自動取引装置であって、
前記異常検知手段は、前記現金自動取引装置に対して外部から熱が加えられたことを検知する熱検知センサ、もしくは、振動が加えられたことを検知する振動検知センサで構成されていることを特徴とする現金自動取引装置。
【請求項５】
請求項４に記載の現金自動取引装置であって、
前記自動取引装置は、異常事態を検知する異常検知手段と、前記複数の紙幣収納庫を前記扉から引き出すことを抑制する引出しロック機構と、を有し、
前記異常検知手段によって異常事態を検知すると、前記ロック機構によって前記紙幣収納庫の外部への引き出しを抑制することを特徴とする現金自動取引装置。
【発明の詳細な説明】
【技術分野】
【０００１】
本発明は、金融機関等に設置される自動取引装置における、震災災害時等の異常事態における防犯機能の確保に関する。
【背景技術】
【０００２】
巨大規模の地震が発生したおり、無人、無電力となった店舗等の現金自動取引装置における盗難被害が危惧されており、安価で高度な防犯対応が要求されている。
【０００３】
本技術分野の背景技術として、特許文献１（特開平９−１７１５７３号公報）に記載のものがある。この公報には、防犯信号発生手段からの防犯信号に応答してリサイクルボックス内の全ての紙幣を金庫に回収するよう制御する制御処理手段を設けた自動取引装置が開示されている。
【先行技術文献】
【特許文献】
【０００４】
【特許文献１】特開平９−１７１５７３号公報
【発明の概要】
【発明が解決しようとする課題】
【０００５】
前記特許文献１によれば、異常事態が発生してからリサイクルボックス内の紙幣を金庫に回収する動作を開始するため、大規模地震発生時のように、災害発生直後に無電力となる場合には、リサイクルボックス内の紙幣を金庫に回収しきれず、防犯能力が低いまま、現金取引装置が停止してしまい、防犯機能上、不充分であるという課題が生じる。
【０００６】
本発明は、上述した課題を解決し、現金自動取引装置の防犯機能を確保することにより、盗難被害等を抑制することを目的とする。
【課題を解決するための手段】
【０００７】
上記課題を解決するために、本発明の現金自動取引装置は複数個のリサイクルボックス及を搭載しており、同一金種に２個以上のリサイクルボックスを使用している。リサイクルボックスは、実装位置によって外部からのアクセスの容易性が異なっているが、通常稼動時は機械の負荷を均等にするため、同一金種のリサイクルボックスが複数個ある場合は、収納する紙幣枚数をほぼ均一にしている。
【０００８】
通常稼動中に、緊急地震速報(警報)等の速報（予報）が発表された場合、センターからの指示により、稼動を継続し続けられる範囲で、装置筐体の扉に近い側（装置の外側）に実装されたリサイクルボックスから装置の奥側のリサイクルボックスに移動させておき、その後、ホストコンピュータ、監視装置等から異常事態となった旨の指示を受取った場合、又は、規定以上の振動、熱等の検知により異常事態を検知した場合、現金自動取引装置を取引停止にし、防犯レベルの低いリサイクルボックスに残った紙幣を、防犯レベルの高いリサイクルボックスに移動させることにより、災害発生から短時間に紙幣の移動が可能となる。  さらに、現金の移動中に、停電等により、無電力となった場合には、現金自動取引装置に内蔵したバックアップ電池により、現金の移動を継続する。
【０００９】
以上により、災害等の発生直後に無電力となる場合においても、現金自動取引装置の防犯能力の確保が可能となる。
【発明の効果】
【００１０】
本発明によれば、新たな機構を追加することなく、災害等の発生直後に無電力となる場合においても、現金自動取引装置における高い防犯機能を確保することが可能となり、盗難被害を低減することができる。
【図面の簡単な説明】
【００１１】
【図１】本発明の実施例における現金自動取引装置の概略構成図である。
【図２】本発明の実施例における紙幣入出金機構部の概略構成図である。
【図３ａ】本発明の実施例における紙幣移動に関するフローチャートである。
【図３ｂ】本発明の実施例における紙幣移動に関するフローチャートである。
【図３ｃ】本発明の実施例における紙幣移動に関するフローチャートである。
【図４ａ】本発明の実施例における紙幣移動に関するフローチャートである。
【図４ｂ】本発明の実施例における紙幣移動に関するフローチャートである。
【図４ｃ】本発明の実施例における紙幣移動に関するフローチャートである。
【図４ｄ】本発明の実施例における紙幣移動に関するフローチャートである。
【図４ｅ】本発明の実施例における紙幣移動に関するフローチャートである。
【図５ａ】本発明の実施例における紙幣移動の概要を説明する図である。
【図５ｂ】本発明の実施例における紙幣移動の概要を説明する図である。
【図５ｃ】本発明の実施例における紙幣移動の概要を説明する図である。
【図５ｄ】本発明の実施例における紙幣移動の概要を説明する図である。
【図５ｅ】本発明の実施例における紙幣移動の概要を説明する図である。
【図５ｆ】本発明の実施例における紙幣移動の概要を説明する図である。
【図５ｇ】本発明の実施例における紙幣移動の概要を説明する図である。
【図５ｈ】本発明の実施例における紙幣移動の概要を説明する図である。
【図５ｉ】本発明の実施例における紙幣移動の概要を説明する図である。
【図５ｊ】本発明の実施例における紙幣移動の概要を説明する図である。
【発明を実施するための形態】
【００１２】
以下、実施例を図面を用いて説明する。
【実施例１】
【００１３】
本実施例では、緊急地震速報(警報)発表時の現金自動取引装置の動作例を説明する。
図１は、本発明にて使用する現金自動取引装置の例である。現金自動取引装置１０１は紙幣入出金機構１０２と、カード読取・書込み／発行機構１０３と、通帳印字／発行機構１０４と、硬貨入出金機構１０５と、制御部１０６と、利用者１０７が操作するタッチパネル１０８と、、振動検知センサ１０９と、熱検知センサ１１０と、係員が紙幣を装填／回収するための後扉１１１と、ユニット引き出しロック１１４とを有している。
【００１４】
紙幣入出金機構１０２と硬貨入出金機構１０５は前面側は鉄板１１２、上面側は鉄板１１３で覆われているため、前面から筐体をこじ開ける等して内部の現金を不正に持ち出すことは困難である。なお、現金自動取引装置１０１は、図示しないホストコンピュータ（上位装置とも言う）、及び、監視装置等に接続されている。
【００１５】
図２は、図１の現金自動取引装置１０１の内部に備えられた紙幣入出金機構１０２の構成図の例である。紙幣入出金機構１０２は、現金自動取引装置１０１に搭載されており、利用者が紙幣を入出金する紙幣入出金口２０１と、係員が紙幣を装填／回収する脱着可能な装填回収紙幣カセット２０２と、装填／入金された紙幣を保管するリサイクルボックスＡ（万円庫）２０３と、リサイクルボックスＢ（万円庫）２０４と、リサイクルボックスＣ（千円庫）２０５と、リサイクルボックスＤ（万円庫）２０６と、２千円券及び５千円券及びリジェクト券を収納するリジェクトカセット２０７とを有する。また、紙幣を各部位に搬送するための紙幣搬送路２０８を有している。
【００１６】
なお、紙幣入出金機構１０２は後扉１１１を開けることによって外部へ引き出すことが可能であるが、ユニット引出しロック１１４をロック状態とすることによって、外部への引き出すことができなくなる。
【００１７】
現金自動取引装置１０１は、装填回収紙幣カセット２０２にて紙幣を装填／回収する構造上、後扉１１１側に配置する必要があるため、後扉１１１が破壊されると外部からのアクセスされやすいという点で防犯能力が他の紙幣収納庫に比べて劣る。つまり、装置の前方（後扉１１１と反対側）に位置するほど防犯能力が高くなっており、装填回収紙幣カセット２０２、リサイクルボックスＡ２０３〜リサイクルボックスＤ２０６の防犯能力は、装填回収紙幣カセット(千円・万円混在）２０２、リサイクルボックスＡ（万円庫）２０３、リサイクルボックスＢ（万円庫）２０４、リサイクルボックスＣ（千円庫）２０５、リサイクルボックスＤ（万円庫）２０６の順に高いことになる。
【００１８】
本願発明は、異常発生時に、極力、装置前方の防犯能力の高い紙幣収納庫に現金を移動させておくことによって、外部からの悪意者によるアクセスをやりにくくさせ、防犯機能を向上させるものである。まず、紙幣移動の概要を説明する。
【００１９】
緊急地震速報(警報)等の速報（予報）が発表された場合、ホストコンピュータ、監視装置等から現金自動取引装置に対し紙幣移動の指示が発せられる。紙幣移動の指示を受取った現金自動取引装置は、取引状態のまま、利用者の利用に影響を与えない範囲で、防犯能力の低い紙幣カセット、リサイクルボックスから、より防犯能力の高いリサイクルボックスに紙幣を移動させる。  紙幣の移動は、移動元の紙幣残枚数0枚を検知、又は、移動先のリサイクルボックスが満杯等にて装填不可能となるまで実施され、紙幣移動中に停電等により、無電力となった場合には、現金自動取引装置に内臓しているバッテリーによる稼動に切替え、下記、紙幣の移動後、ホストコンピュータ、監視装置等から異常事態となった旨の指示を受取った場合の動作を実施する。紙幣移動の指示はホストコンピュータ、監視装置等からの解除指示、又は、規定時間を超過しても、異常事態とならなかった場合に解除され、紙幣移動の指示が解除された場合は、通常稼動に戻る。
【００２０】
紙幣の移動後、ホストコンピュータ、監視装置等から異常事態となった旨の指示を受取った場合、又は、現金自動取引装置に有している振動検知センサ、熱検知センサが規定以上の振動、熱を検知した場合、現金自動取引装置は異常事態に至ったことを認識し、紙幣入出金機構、硬貨入出金機構にユニット引出しロックをかけ、現金自動取引装置を取引停止にする。
【００２１】
取引停止にしたのち、現金自動取引装置は、防犯能力の低い紙幣カセット、リサイクルボックスに残っている紙幣を、金種を問わずに、より防犯能力の高いリサイクルボックスに紙幣を移動させる。（リサイルボックス内に千円券・万円券が混在する場合がある）本、紙幣の移動も、前記の紙幣の移動と同様に、移動元の紙幣残枚数：０枚を検知、又は、移動先のリサイクルボックスが満杯等にて装填不可能となるまで継続され、紙幣移動中に停電等により、無電力となった場合には、現金自動取引装置に内臓しているバッテリーによる稼動に切替え、紙幣の移動を継続する。紙幣移動終了後、現金自動取引装置は電源をＯＦＦする。
【００２２】
尚、緊急地震速報(警報)等の速報（予報）が未発表の状態であっても、ホストコンピュータ、監視装置等から異常事態となった旨の指示を受取った場合、又は、現金自動取引装置に有している振動検知センサ、熱検知センサが規定以上の振動、熱を検知した場合は、現金自動取引装置は異常事態に至ったことを認識し、前記、紙幣の移動後、ホストコンピュータ、監視装置等から異常事態となった旨の指示を受取った場合の動作を実施する。
図５ａ〜図５ｄは、現金自動取引装置が、ホストコンピュータから紙幣移動の指示を受取った時に、紙幣カセット202に紙幣がある場合の紙幣の移動例のイメージ図である。
【００２３】
図５ａのケースは、リサイクルボックスＣ（千円庫）２０５と、リサイクルボックスＤ（万円庫）２０６が収納可能な場合の紙幣の移動のイメージ図でる。紙幣カセット２０２に収納されている紙幣の内、千円券はリサイクルボックスＣ （千円庫）２０５へ、万円券はリサイクルボックスＤ（万円庫）２０６へ移動させる。
【００２４】
図５ｂのケースは、リサイクルボックスＣ（千円庫）２０５が満杯等にて収納不可能となり（元々、収納不可能な場合を含む）、リサイクルボックスＤ（万円庫）２０６が収納可能な場合の紙幣の移動のイメージ図である。紙幣カセット２０２に収納されている紙幣の内、千円券はリジェクトボックス ２０７へ、万円券はリサイクルボックスＤ（万円庫）２０６へ移動させる。
【００２５】
図５ｃのケースは、リサイクルボックスＣ（千円庫）２０５が収納可能であり、リサイクルボックスＤ（万円庫）２０６が満杯等にて収納不可能となった場合（元々、収納不可能な場合を含む）紙幣の移動のイメージ図でる。紙幣カセット２０２に収納されている紙幣の内、千円券はリサイクルボックスＣ（千円庫）２０５へ、万円券はリサイクルボックスＢ（万円庫）２０４へ移動させる。
【００２６】
図５ｄのケースは、リサイクルボックスＣ（千円庫）２０５が収納可能であり、リサイクルボックスＤ（万円庫）２０６、及び、リサイクルボックスＢ（万円庫）２０４が満杯等にて収納不可能となった場合（元々、収納不可能な場合を含む）の紙幣の移動のイメージ図でる。紙幣カセット２０２に収納されている紙幣の内、千円券はリサイクルボックスＣ（千円庫）２０５へ、万円券はリサイクルボックスＡ（万円庫）２０３へ移動させる。
図５ｅ〜図５ｆは、現金自動取引装置が、ホストコンピュータから紙幣移動の指示を受取った時に、装填回収紙幣カセット２０２に紙幣が無く、リサイクルボックスＡ（万円庫）２０３に紙幣が収納されている場合の紙幣の移動のイメージ図である。
【００２７】
図５ｅは、リサイクルボックスＤ（万円庫）２０６が収納可能な場合の紙幣の移動イメージ図である。リサイクルボックスＡ（万円庫）２０３に収納されている紙幣をリサイクルボックスＤ（万円庫）２０６へ移動させる。
【００２８】
図５ｆは、リサイクルボックスＤ（万円庫）２０６が満杯等にて収納不可能となった場合（元々、収納不可能な場合を含む）の紙幣の移動イメージ図である。リサイクルボックスＡ（万円庫）２０３に収納されている紙幣をリサイクルボックスＢ（万円庫）２０４へ移動させる。
図５ｇ〜図５ｈは、現金自動取引装置が、ホストコンピュータ、監視装置等から異常事態となった旨の指示を受取る、又は、現金自動取引装置に有している振動検知センサ、熱検知センサが規定以上の振動、熱を検知し、現金自動取引装置が異常事態に至ったことを認識し、現金自動取引装置を取引停止た時に、装填回収紙幣カセット202に紙幣がある場合の紙幣の移動のイメージ図である。
【００２９】
図５ｇのケースは、リサイクルボックスＤ（万円庫）２０６が収納可能な場合の紙幣の移動イメージ図である。装填回収紙幣カセット２０２に収納されている紙幣をリサイクルボックスＤ（万円庫）２０６へ移動させる。このとき、リサイクルボックスＤ（万円庫）２０６にて千・万円券が混在する場合があるが問わない。これは、異常事態では、電源の供給が停止する可能性もあり、限られた時間内に、装填回収紙幣カセット２０２内にある、極力多くの紙幣を、防犯能力がより高い、後扉１１１よりも奥側の収納庫へ移動させるためである（以下、同様）。
【００３０】
図５ｈのケースは、リサイクルボックスＤ（万円庫）２０６が満杯等にて収納不可能となり（元々、収納不可能な場合を含む）リサイクルボックスＣ（千円庫）２０５が収納可能な場合の紙幣の移動のイメージ図である。装填回収紙幣カセット２０２に収納されている紙幣をリサイクルボックスＣ（千円庫）２０５へ移動させる。このとき、リサイクルボックスＣ（千円庫）２０５にて千・万円券が混在する場合があるが問わない。
【００３１】
同様にして、リサイクルボックスＣ（千円庫）２０５が満杯等にて収納不可能となった場合は、装填回収紙幣カセット２０２に収納されている紙幣をリサイクルボックスＢ（万円庫）２０４へ移動させる。リサイクルボックスＢ（万円庫）２０４にて千・万円券が混在する場合があるが問わない。
図５ｉ〜図５ｊは、現金自動取引装置が、ホストコンピュータ、監視装置等から異常事態となった旨の指示を受取る、又は、現金自動取引装置に有している振動検知センサ、熱検知センサが規定以上の振動、熱を検知し、現金自動取引装置が異常事態に至ったことを認識し、現金自動取引装置を取引停止た時に、装填回収紙幣カセット２０２に紙幣が無く、リサイクルボックスＡ（万円庫）２０３に紙幣がある場合の紙幣の移動のイメージ図である。
【００３２】
図５ｉは、リサイクルボックスＤ（万円庫）２０６が収納可能な場合の紙幣の移動イメージ図である。リサイクルボックスＡ（万円庫）２０３に収納されている紙幣をリサイクルボックスＤ（万円庫）２０６へ移動させる。
【００３３】
図５ｊは、リサイクルボックスＤ（万円庫）２０６が満杯等にて収納不可能となり（元々、収納不可能な場合を含む）リサイクルボックスＣ（千円庫）２０５が収納可能な場合の紙幣の移動のイメージ図である。リサイクルボックスＡ（万円庫）２０３に収納されている紙幣をリサイクルボックスＣ（千円庫）２０５へ移動させる。このとき、リサイクルボックスＣ（千円庫）２０５にて千・万円券が混在する場合があるが問わない。
【００３４】
同様にして、リサイクルボックスＢ（万円庫）２０４に収納されている紙幣をリサイクルボックスＣ（千円庫）２０５、又は、リサイクルボックスＤ（万円庫）２０６へ移動させる。このとき、リサイクルボックスＣ（千円庫）２０５にて千・万円券が混在する場合があるが問わない。
【００３５】
以上説明した紙幣移動処理につき、さらに、図３ａ〜３ｃ、及び、図４ａ〜４ｅに示すフローチャートを用いて詳細に説明する。
【００３６】
ホストコンピュータ等から紙幣移動の指示があるかを判定し（ステップＳ３０１）、ＹＥＳ（指示あり）の場合、装填回収紙幣カセット２０２内部に紙幣があるかを判定し（ステップＳ３０２）、ＹＥＳ（紙幣あり）の場合、リサイクルボックスＤ２０６が入金可能か否かを判定し（ステップＳ３０３）、ＹＥＳ（入金可能）の場合、リサイクルボックスＣ２０５が入金可能か否かを判定し（ステップＳ３０４）、ＹＥＳ（入金可能）の場合、装填回収紙幣カセット２０２の内部の紙幣について、万円紙幣はリサイクルボックスＤ２０６に移動させ、千円紙幣はリサイクルボックスＣ２０５に移動させる。上記ステップＳ３０４において、リサイクルボックスＣ２０５が入金不可（ＮＯ）の場合、装填回収紙幣カセット２０２の内部の紙幣について、万円紙幣はリサイクルボックスＤ２０６に移動させ、千円紙幣はリジェクトカセット２０７に移動させる。
【００３７】
上記ステップＳ３０２において、装填回収紙幣カセット２０２内部に紙幣がない場合、リサイクルボックスＡ２０３内の紙幣の有無を判定し（ステップＳ３２０）、ＹＥＳ（紙幣あり）の場合、リサイクルボックスＤ２０６が入金可能か否かを判定し（ステップＳ３２１）、ＹＥＳ（入金可能）の場合、リサイクルボックスＡ２０３内の紙幣をリサイクルボックスＤ２０６に移動させる（ステップＳ３２２）。ステップＳ３２１において、リサイクルボックスＤ２０６が入金不可（ＮＯ）の場合、リサイクルボックスＢ２０４が入金可能か否かを判定し（ステップＳ３２３）、入金可能（ＹＥＳ）の場合、リサイクルボックスＡ２０３内の紙幣をリサイクルボックスＢ２０４へ移動させる。
【００３８】
上記ステップＳ３２０において、リサイクルボックスＡ２０３に紙幣がない（ＮＯ）場合、リサイクルボックスＢ２０４内の紙幣の有無を判定し（ステップＳ３２５）、ＹＥＳ（紙幣あり）の場合、リサイクルボックスＤ２０６が入金可能か否かを判定し（ステップＳ３２６）、入金可能（ＹＥＳ）の場合、リサイクルボックスＢ２０４内の紙幣をリサイクルボックスＤ２０６へ移動させる。
【００３９】
上記ステップＳ３０３において、リサイクルボックスＤ２０６が入金不可（ＮＯ）の場合、リサイクルボックスＢ２０４が入金可能か否かを判定し（ステップＳ３３０）、入金可能（ＹＥＳ）の場合、リサイクルボックスＣ２０５が入金可能か否かを判定し（ステップＳ３３１）、入金可能（ＹＥＳ）の場合、装填回収紙幣カセット２０２の内部の紙幣について、万円紙幣はリサイクルボックスＢ２０４に移動させ、千円紙幣はリサイクルボックスＣ２０５に移動させる（ステップＳ３３２）。上記ステップＳ３３１において、入金不可（ＮＯ）の場合、装填回収紙幣カセット２０２の内部の紙幣について、万円紙幣はリサイクルボックスＢ２０４に移動させ、千円紙幣はリジェクトカセット２０７に移動させる。
【００４０】
上記ステップＳ３３０において、リサイクルボックスＢ２０４が入金不可（ＮＯ）の場合、リサイクルボックスＡ２０３が入金可能か否かを判定し（ステップＳ３３４）、ＹＥＳ（入金可能）の場合、リサイクルボックスＣ２０５が入金可能か否かを判定し（ステップＳ３３５）、入金可能（ＹＥＳ）の場合、装填回収紙幣カセット２０２の内部の紙幣について、万円紙幣はリサイクルボックスＡ２０３に移動させ、千円紙幣はリサイクルボックスＣ２０５に移動させる（ステップＳ３３６）。上記ステップＳ３３５において、入金不可（ＮＯ）の場合、装填回収紙幣カセット２０２の内部の紙幣について、万円紙幣はリサイクルボックスＡ２０３に移動させ、千円紙幣はリジェクトカセット２０７に移動させる。
【００４１】
なお、上述の紙幣移動において、千円及び万円以外の紙幣（二千円や五千円等）はリジェクトカセット２０７に収納する。
【００４２】
上述のステップＳ３０５、Ｓ３０６、Ｓ３２２、Ｓ３２４、Ｓ３２７、Ｓ３３２、Ｓ３３３、Ｓ３３６、Ｓ３３７の紙幣の移動は移動元の紙幣がなくなるまで繰り返し実行されるが、その都度、電力供給が途絶えているかを確認し（ステップＳ３０７）、ＮＯ（電力供給正常）の場合は残りの紙幣の移動を継続し、ＹＥＳ（無電力）の場合、バッテリーによる駆動へ切り替える（ステップＳ４０８）。なお、バッテリー駆動時の紙幣移動方法については、後述の異常事態時の紙幣移動方法と同様である。
【００４３】
また、上述した紙幣の移動を実行した結果、それ以上、移動させるべき紙幣がなくなった場合（ステップＳ３２３、Ｓ３２５、Ｓ３２６、Ｓ３３４のそれぞれにおいて「ＮＯ」の場合）、ホストコンピュータ等からの紙幣移動指示が解除されたか否かを確認する（ステップＳ４００）。なお、紙幣移動の指示は、ホストコンピュータや監視装置等からの指示、もしくは、規定の時間を超過することによって解除される。ステップＳ４００で紙幣移動指示が解除されていれば（ＹＥＳ）、通常の稼動に戻り、解除されていなければ（ＮＯ）、ステップＳ４０２にて異常事態となったか否かを判定する。ここで、異常事態か否かの判定は、例えば、現金自動取引装置１０１に取り付けられたセンサによって規定以上の振動や熱を検知した場合、又は、ホストコンピュータや監視装置等から異常事態発生の通知を受信することで行われれる。
【００４４】
ステップＳ４０２でＮＯ（異常事態でない）と判定された場合、ステップＳ４００に戻り、以降、紙幣移動指示の解除待ちとなる。ステップＳ４０２で異常事態になった（ＹＥＳ）と判定された場合、現金自動取引装置１０１を取引停止とし、ユニット引出しロック１１４をロック状態とし、紙幣入出金機構１０２を外部へ引き出せないようにする(ステップ４０３）。
【００４５】
次にステップＳ４０４で装填回収紙幣カセット２０２内に紙幣があるか否かを判定し、有り（ＹＥＳ）の場合、リサイクルボックスＤ２０６が入金可能か否かを判定し（ステップＳ４０５）、入金可能（ＹＥＳ）の場合、装填回収紙幣カセット２０２内の紙幣を金種にかかわらず（万円札、千円札のいずれであっても）リサイクルボックスＤ２０６内に移動させる（ステップＳ４０６）。
【００４６】
前述のステップＳ４０５において、ＮＯ（リサイクルボックスＤ２０６が入金不可）の場合、リサイクルボックスＣ２０５が入金可能か否かを判定し（ステップＳ４１０）、ＹＥＳ（入金可能）であれば、装填回収紙幣カセット２０２内の紙幣を金種にかかわらず（万円札、千円札のいずれであっても）リサイクルボックスＣ２０５内に移動させる（ステップＳ４１１）。
【００４７】
ステップＳ４１０において、ＮＯ（リサイクルボックスＣ２０５が入金不可）の場合、リサイクルボックスＢ２０４が入金可能か否かを判定し（ステップＳ４１２）、ＹＥＳ（入金可能）であれば、装填回収紙幣カセット２０２内の紙幣を金種にかかわらず（万円札、千円札のいずれであっても）リサイクルボックスＢ２０４内に移動させる（ステップＳ４１３）。
【００４８】
ステップＳ４１２において、ＮＯ（リサイクルボックスＢ２０４が入金不可）の場合、リサイクルボックスＡ２０３が入金可能か否かを判定し（ステップＳ４１４）、ＹＥＳ（入金可能）であれば、装填回収紙幣カセット２０２内の紙幣を金種にかかわらず（万円札、千円札のいずれであっても）リサイクルボックスＡ２０３内に移動させ（ステップＳ４１５）、ＮＯ（入金不可）であれば現金自動取引装置１０１の電源をオフとする（ステップＳ４１６）。
【００４９】
前述のステップＳ４０４において、ＮＯ（装填回収紙幣カセット２０２内に紙幣無し）の場合、リサイクルボックスＤ２０６が入金可能か否かを判定し（ステップＳ４２０）、入金可能（ＹＥＳ）の場合、リサイクルボックスＡ２０３内に紙幣があるか否かを判定し（ステップＳ４２１）、ＹＥＳ（紙幣あり）の場合、リサイクルボックスＡ２０３からリサイクルボックスＤ２０６に紙幣を移動させる（ステップＳ４２２）。
【００５０】
ステップＳ４２１においてＮＯ（リサイクルボックスＡ２０３に紙幣なし）の場合、リサイクルボックスＢ２０４に紙幣があるか否かを判定し（ステップＳ４２３）、ＹＥＳ（紙幣あり）の場合、リサイクルボックスＢ２０４からリサイクルボックスＤ２０６へ紙幣を移動させる（ステップＳ４２４）。
【００５１】
ステップＳ４２３において、ＮＯ（リサイクルボックスＢ２０４に紙幣なし）の場合、リサイクルボックスＣ２０５に紙幣があるか否かを判定し（ステップＳ４２５）、ＹＥＳ（紙幣あり）の場合、リサイクルボックスＣ２０５からリサイクルボックスＤ２０６に紙幣を移動させ、ＮＯ（紙幣なし）の場合、現金自動取引装置１０１の電源をオフとする（ステップＳ４２７）。
【００５２】
前述のステップＳ４２０においてＮＯ（リサイクルボックスＤ２０６が入金不可）の場合、リサイクルボックスＣ２０５が入金可能か否かを判定し（ステップＳ４３０）、ＹＥＳ（入金可能）であれば、リサイクルボックスＡ２０３に紙幣があるか否かを判定し（ステップＳ４３１）、ＹＥＳ（紙幣あり）であれば、リサイクルボックスＡ２０３からリサイクルボックスＣ２０５に紙幣を移動する(ステップＳ４３２）。
【００５３】
ステップＳ４３１においてＮＯ（リサイクルボックスＡ２０３に紙幣なし）の場合、リサイクルボックスＢ２０４に紙幣があるか否かを判定し（ステップＳ４３３）、ＹＥＳ（紙幣あり）の場合、リサイクルボックスＢ２０４からリサイクルボックスＣ２０５に紙幣を移動し（ステップＳ４３４）、ＮＯ（リサイクルボックスＢ２０４に紙幣なし）の場合、現金自動取引装置１０１の電源をオフとする（ステップＳ４３５）。
【００５４】
前述のステップＳ４３０において、ＮＯ（リサイクルボックスＣ２０５が入金不可）の場合、リサイクルボックスＢ２０４は入金可能か否かを判定し（ステップＳ４４０）、ＹＥＳ（入金可能）であればリサイクルボックスＡ２０３に紙幣があるか否かを判定し（ステップＳ４４１）、ＹＥＳ（紙幣あり）であればリサイクルボックスＡ２０３からリサイクルボックスＢ２０４に紙幣を移動させる（ステップＳ４４２）。ステップＳ４４０においてＮＯ（リサイクルボックスＢ２０４に紙幣なし）、及び、ステップＳ４４１においてＮＯ（リサイクルボックスＡ２０３に紙幣なし）の場合は、いずれも現金自動取引装置１０１の電源をオフとする（ステップＳ４４３）。
【００５５】
以上、ステップＳ４０６、Ｓ４１１、Ｓ４１３、Ｓ４１５、Ｓ４２２、Ｓ４２４、Ｓ４２６、Ｓ４３２、Ｓ４３４、Ｓ４４２における紙幣の移動を実施する毎にステップＳ４０７の電力供給の有無を確認し、移動させるべき紙幣がなくなるまで繰り返す。
【００５６】
上述のようにして、ホストコンピュータからの指示があったときや、現金自動取引装置が異常事態を検知したときに、内部に保有している紙幣を、より防犯能力が高い収納部に移動させることができる。
【符号の説明】
【００５７】
１０１  現金自動取引装置
１０２  紙幣入出金機構
１０３  カード読取・書込み／発行機構
１０４  通帳印字／発行機構
１０５  硬貨入出金機構
１０６  制御部
１０７  利用者
１０８  タッチパネル
１０９  振動検知センサ
１１０  熱検知センサ
１１１  係員が紙幣を装填／回収するための後扉
１１２  鉄板
１１３  鉄板
１１４  ユニット引き出しロック
２０１  紙幣入出金口
２０２  係員が紙幣を装填／回収する脱着可能な紙幣カセット
２０３  リサイクルボックスＡ (万円庫)
２０４  リサイクルボックスＢ (万円庫)
２０５  リサイクルボックスＣ (千円庫)
２０６  リサイクルボックスＤ (万円庫)
２０７  リジェクトカセット
２０８  紙幣搬送路
【図１】
2014211835.tif 000003
【図２】
2014211835.tif 000004
【図３ａ】
2014211835.tif 000005
【図３ｂ】
2014211835.tif 000006
【図３ｃ】
2014211835.tif 000007
【図４ａ】
2014211835.tif 000008
【図４ｂ】
2014211835.tif 000009
【図４ｃ】
2014211835.tif 000010
【図４ｄ】
2014211835.tif 000011
【図４ｅ】
2014211835.tif 000012
【図５ａ】
2014211835.tif 000013
【図５ｂ】
2014211835.tif 000014
【図５ｃ】
2014211835.tif 000015
【図５ｄ】
2014211835.tif 000016
【図５ｅ】
2014211835.tif 000017
【図５ｆ】
2014211835.tif 000018
【図５ｇ】
2014211835.tif 000019
【図５ｈ】
2014211835.tif 000020
【図５ｉ】
2014211835.tif 000021
【図５ｊ】
2014211835.tif 000022